(57)【特許請求の範囲】
【請求項１】
錠箱内においてそのフロント板に垂直な前後方向に移動可能に案内され、後端部に従動切欠を形成したデッドボルトの前端部に、デッドボルトの両側面に沿ってその長さ方向に延在し、前端をブリッジ片により一体に結合された一対の調整板をデッドボルトの長さ方向移動可能に設けると共に、調整板の水平方向における外法寸法をストライク孔の幅より小さく設定し、一方、上記ブリッジ片をデッドボルトの切欠を水平に、かつ摺動可能に貫通させることにより切欠に係合させ、他方、上記一対の調整板をデッドボルトに対し相対的に前方に付勢して、調整板に外力が作用しないときブリッジ片をデッドボルト前端の補強板の後側に当接させ、以て、デッドボルトとストライク孔とが整合しているときにはデッドボルト及び調整板を共にストライク孔に投入し、デッドボルトとストライク孔が少しずれており、調整板がストライク孔の開口端縁に引っ掛かる場合には、調整板をストライク板と当接する位置に残し、デッドボルトのみをストライク孔に投入するようにしたことを特徴とするデッドボルトの構造。
【発明の詳細な説明】
【技術分野】
【０００１】
この発明は、デッドボルトの構造に係り、特に、デッドボルトとストライク孔の相対位置が多少狂っても施錠ができるモータ駆動電気錠用のデッドボルトに関する。
【背景技術】
【０００２】
電気錠の錠止機構には種々の型式があるが、特にデッドボルトをモータにより駆動するものは、錠止が確実なので重要な部屋の戸口に多用されている。
【０００３】
しかして、この型式の電気錠は、マイクロモータ等の電動機の回転力を、減速機を介してデッドボルト駆動機構に伝達するように構成されており、デッドボルトを駆動する力は強大なものになる。
【０００４】
一方、戸口を錠止する際、例えばクローザが気密室のパッキングを完全に押切れない状態で、換言すれば扉が完全に閉りきらない状態でモータを作動させると、デッドボルトの先端がストライク孔の開口端縁部に突き当たりデッドボルトが停止してしまうので、モータが焼き切れてしまう、という不都合がある。
【０００５】
この不都合は、例えば経年変化によって扉が反ってしまい、扉の自由側端縁が正規の位置から外れた場合にも生じる。
【０００６】
そこで、本出願人は、先に、後記特許文献１を以て、デッドボルトとストライク孔との相対位置が少し狂っても施錠ができる新規なデッドボルトの構造を提案した。
【０００７】
また、本出願人は、後記特許文献２を以て、減速機を介してモータに連結されたセクターギアと、デッドボルトを直接駆動する駆動アームとを相互に独立に回動可能に連結すると共に、これらの間にばね部材を弾装したモータ駆動電気錠のモータ保護機構を提案した。
【特許文献１】特願２００６−０３８６０３
【特許文献２】特願２００６−１８６０２６
【発明の開示】
【発明が解決しようとする課題】
【０００８】
上記特許文献２に記載された発明は、特許文献１に記載された発明の目的をデッドボルトの駆動機構の改良という手段で達成している。
【０００９】
一方、特許文献２に記載された発明には、特許文献１に記載された発明に相当するデッドボルトの構造に関する発明が内在している。
【００１０】
そこで、この出願は、上記特許文献２に記載された発明に内在するデッドボルトの構造に関する発明を分割し、独立した発明として出願することを目的としている。
【課題を解決するための手段】
【００１１】
上記の目的を達成するため、請求項１に記載の発明は、錠箱内においてそのフロント板に垂直な前後方向に移動可能に案内され、後端部に従動切欠を形成したデッドボルトの前端部に、デッドボルトの両側面に沿ってその長さ方向に延在し、前端をブリッジ片により一体に結合された一対の調整板をデッドボルトの長さ方向移動可能に設けると共に、調整板の水平方向における外法寸法をストライク孔の幅より小さく設定し、一方、上記ブリッジ片をデッドボルトの切欠を水平に、かつ摺動可能に貫通させることにより切欠に係合させ、他方、上記一対の調整板をデッドボルトに対し相対的に前方に付勢して、調整板に外力が作用しないときブリッジ片をデッドボルト前端の補強板の後側に当接させ、以て、デッドボルトとストライク孔とが整合しているときにはデッドボルト及び調整板を共にストライク孔に投入し、デッドボルトとストライク孔が少しずれており、調整板がストライク孔の開口端縁に引っ掛かる場合には、調整板をストライク板と当接する位置に残し、デッドボルトのみをストライク孔に投入するようにしたことを特徴とする。
【発明の効果】
【００１２】
上記のように構成された請求項１に記載の発明は、デッドボルトの両側に配設された一対の調整板の厚み分、すなわち、各調整板の板厚の２倍分ストライク孔の水平方向の寸法、すなわち幅を大きく設定することができる。
【００１３】
そのため、デッドボルトがストライク孔の開口端縁部に当接する場合でも、調整板がストライク孔の開口端縁部に当接するすることになり、取り敢えずデッドボルトをストライク孔に投入することにより錠止を完全にすることができる。
【００１４】
この場合、扉口に致った巡回要員が扉を閉止方向に押動すれば、調整板とストライク孔が水平方向において整合するので、調整板がばね部材の弾力により前方に突出して、ストライク孔に係入することができる、等種々の効果を奏する。
【発明を実施するための最良の形態】
【００１５】
デッドボルトの前端部に、デッドボルトの両側面に沿ってその長さ方向に延在する一対の調整板をデッドボルトの長さ方向移動可能に設け、これら一対の調整板をデッドボルトに対し相対的に前方に付勢する、という簡単な構造で、調整板の厚さ分デッドボルトとストライク孔の間隔がずれても一応の施錠ができる。
【実施例１】
【００１６】
以下、この発明の一実施例を図面を参照して説明する。
図１において符号１はモータ駆動電気錠の錠箱を示し、この錠箱１の上部には、細長い矩形で示されるデッドボルト２が、錠箱のフロント板３に垂直な前後方向に移動可能に、換言すればフロント板３から出没可能に案内されている。
【００１７】
図示の実施例におけるデッドボルト２は、図２に示すように、横断面形状が逆Ｕ字形の鞘体４と、この鞘体４に包持された、例えば板材を３枚重ねにした芯体５とからなる。
【００１８】
そして、これら鞘体４及び芯体５とからなるデッドボルト１の前端部には、図５に明示するように、これらを水平方向に貫通する切欠６が形成されている。この切欠６の鞘体４及び芯体５において共通の左端を図５において符号７で示す。
【００１９】
また、図５に示すように、デッドボルトの先端に補強板８がかしめつけられているが、この補強板８は図２では示されていない。
【００２０】
更にまた、図１に示すように、デッドボルト２の後端部下側に従動切欠９が形成されており、この従動切欠９と係合する後述の駆動アーム１１により、デッドボルト２が前後方向（図１で左右方向）に駆動されることは従来のデッドボルト駆動機構と同様である。
【００２１】
一方、図１に示すように、デッドボルト２の下方には所謂デッドカムが配設されている。
なお、このデッドカムから図示しないマイクロモータに致る駆動系は本願発明の要旨とは関係がないが、本願発明によるデッドボルトの構造をより良く理解するためにその一応の説明は必要である。
【００２２】
このデッドカムは、図示しない減速機を介して電動モータに連結された駆動ギア１２と噛み合うセクターギア１３と、上記駆動アーム１１とを備えている。
【００２３】
また、図示の実施例におけるデッドカムは、その中央部に図示しないシリンダ錠及び／又は室内側のサムターンに連係されるクラッチ孔１４が開口している。
【００２４】
通常のデッドカムでは上記駆動アーム１１とセクターギア１３とは一体的に結合されているが、本発明においては、これらは相互に独立に回動できるように連結されている。
【００２５】
図示の実施例では、図２に示すように、円弧状のセクターギア１３は一対のカップ状のホルダの開口部に挟まれるようにしてかしめによりホルダに連結されており、これら一対のホルダの内側空間には、上記駆動アームを一体に連結した付番しないカップ状の案内部材が、ホルダとは独立に回動可能に嵌合している。
【００２６】
通常の錠止機構では空洞である上記一対のホルダの内側空間には、圧縮コイルばねとしてのばね部材１５が弾装されている。
【００２７】
そして、このばね部材１５の一端は上記ホルダに、他端は上記駆動アームを一体に連結した付番しないカップ状の案内部材に夫々掛け止められており、このばね部材の弾力により、図１において、駆動アーム１１に関し、山形の先端を有するクリック係合部１６を反時計方向に、換言すれば、駆動アーム１１とクリック係合部１６とが相互に近接するように付勢されている。
【００２８】
他方、図１乃至図３に示すように、デッドボルト２の両側には前後方向に延在する一対の調整板１７、１７が同方向に移動可能に支持、案内されている。
【００２９】
すなわち、一対の調整板１７、１７の前端はブリッジ片１８（図２参照）によって一体に結合され、他端はデッドボルト２の後端部に形成された横長のガイド溝１９を通る連結ピン２１によって一体的に結合されている。
【００３０】
上記ブリッジ片１８は、前記デッドボルトの切欠６（図５参照）を水平に、かつ摺動可能に貫通するようにしてこれと係合すると共に、一対の調整板１７、１７を一体に結合しており、また、ブリッジ片１８の背面と前記切欠の左端（図５参照）との間には、圧縮コイルばねとしての付勢ばね２２が弾装されている。
【００３１】
なお、図４において符号２３は錠止レバーを、符号２４はその制御板を示すが、これらは本発明に関係がないので、更に詳細な説明は省略する。
【００３２】
上記のように構成された請求項１に記載の発明によるデッドボルトは、図１に示すように、解錠時には錠箱１内に引込んでいる。
【００３３】
そして、調整板の前記ブリッジ片１８は、付勢ばね２２の弾力により、前記補強板８の後側に当接している。
【００３４】
施錠のため駆動ギア１２を介してセクターギア１３を時計方向に回動させると、調整板１７もストライク孔に投入可能に両者が整合しているときには、図３に示すように、駆動アーム１１及びセクターギア１３が一体的に時計方向に回動し、デッドボルト２及び調整板１７を共にストライク孔に投入する。
【００３５】
一方、デッドボルト２とストライク孔とが大きくずれている場合には、図４に示すように、デッドボルト２の前端がストライク孔の開口端縁に衝止される結果、デッドボルト２と駆動アーム１１とを施錠位置に残してセクターギアのみが時計方向に所定の角度回動する。
【００３６】
そのため、モータに過電流が流れず、その焼損事故が防止される。
【００３７】
他方、デッドボルト２が少しストライク孔とずれ、デッドボルト２はストライク孔に投入可能であるが、調整板１７がストライク孔の開口端縁に引っ掛かる場合には、図５に示すように、調整板１７をストライク板と当接する位置に残し、デッドボルト２がストライク孔に投入される。
【００３８】
この場合、扉を閉扉方向に少し押すことにより、付勢ばね２２の弾力によって調整板１７もストライク孔に自動的に投入される。
【図面の簡単な説明】
【００３９】
【図１】この発明の一実施例によるデッドボルトを備えた錠箱の要部を示す一部断面側面図で、解錠状態を示す。
【図２】この発明の一実施例によるデッドボルトを備えた錠箱の要部を示す一部断面正面図。
【図３】この発明の一実施例によるデッドボルトを備えた錠箱の要部を示す一部断面側面図で、施錠状態を示す。
【図４】図１と同様の一部断面側面図で、デッドボルトとストライク孔とが大きくずれ、デッドボルトがストライク孔の開口端縁に当接した状態を示す。
【図５】図１と同様の一部断面側面図で、デッドボルトとストライク孔とが少しずれ、調整板がストライク孔の開口端縁に当接した状態を示す。
【符号の説明】
【００４０】
１  錠箱
２  デッドボルト
３  フロント板
４  鞘体
５  芯体
６  切欠
７  切欠の左端
８  補強板
９  従動切欠
１１  駆動アーム
１２  駆動ギア
１３  セクターギア
１４  クラッチ孔
１５  ばね部材
１６  クリック係合部
１７  調整板
１８  ブリッジ片
１９  ガイド溝
２１  連結ピン
２２  付勢ばね
【図１】
0005413630.tif 000002
【図２】
0005413630.tif 000003
【図３】
0005413630.tif 000004
【図４】
0005413630.tif 000005
【図５】
0005413630.tif 000006